(57)【特許請求の範囲】
【請求項１】
標準時刻電波を受信可能な受信回路と、
アラームのオンオフを設定するアラームセットスイッチと、
内部電子時計を有し、当該内部電子時計の時刻を表示する時刻表示部と、
これらを制御する制御回路とが備わっており、
前記制御回路は、
前記標準時刻電波の受信により前記内部電子時計の時刻を修正するように制御可能であるとともに、
前記制御回路は、前記内部電子時計の時刻が前記標準時刻電波の受信時刻になり、前記受信回路により前記標準時刻電波を受信した後で、前記アラームセットスイッチがオン状態の場合には、前記受信した時刻と前記内部電子時計の時刻とを比較し、その差が所定値以上の場合には前記内部電子時計の時刻修正を行わないように制御することを特徴とする電波修正機能付きアラーム時計。
【請求項２】
標準時刻電波を受信可能な受信回路と、
アラームのオンオフを設定するアラームセットスイッチと、
内部電子時計を有し、当該内部電子時計の時刻を表示する時刻表示部と、
これらを制御する制御回路とが備わっており、
前記制御回路は、
前記標準時刻電波の受信により前記内部電子時計の時刻を修正するように制御可能であるとともに、
前記制御回路は、前記内部電子時計の時刻が前記標準時刻電波の受信時刻になったときに、前記アラームセットスイッチがオン状態の場合には、前記受信回路により前記標準時刻電波の０秒のみを検出して受信し、前記内部電子時計の時刻を修正するように制御することを特徴とする電波修正機能付きアラーム時計。
【請求項３】
標準時刻電波を受信可能な受信回路と、
アラームのオンオフを設定するアラームセットスイッチと、
内部電子時計を有し、当該内部電子時計の時刻を表示する時刻表示部と、
これらを制御する制御回路とが備わっており、
前記制御回路は、
前記標準時刻電波の受信により前記内部電子時計の時刻を修正するように制御可能であるとともに、
前記制御回路は、前記内部電子時計の時刻が前記標準時刻電波の受信時刻になり、前記受信回路により前記標準時刻電波を受信した後で、前記アラームセットスイッチがオン状態の場合には、前記受信した時刻と前記内部電子時計の時刻とを比較し、その差が第１の所定値以下の場合、または、サマータイムへの移行により想定される変化時間を含めた差が第２の所定値以下の場合、前記内部電子時計の時刻修正を行うように制御することを特徴とする電波修正機能付きアラーム時計。
【発明の詳細な説明】
【０００１】
【発明の属する技術分野】
本発明は、標準時刻電波を受信することで、正確な時刻を自動的に設定できる電波修正機能付きアラーム時計に関する。
【０００２】
【従来の技術】
従来の技術として、第１の例として特開平７−１５９５５８号公報には、当日においてアラーム時刻報知を行っておらず、かつ、アラーム時刻データが修正後の時刻データよりも前になる場合に、通常とは別のアラーム音を鳴らす時刻データ受信装置が開示されている。これは時刻データの修正動作に起因し当日のアラーム時刻報知が行われないでしまうことを回避するものである。
【０００３】
また、第２の例として特開２０００−１９９７９２号公報には、時刻の修正幅が許容誤差範囲になければ時刻合わせを行うことなく計測を中止する時計装置が開示されている。この例では、使用者の操作に応じて測位装置が計測をする度に、受信した時刻データによる修正時刻と現在時刻との差を求め、精度の範囲内（許容誤差範囲）であるかを判定している。
【０００４】
また、第３の例として特開２０００−２３５０９３号公報には、時計の保持時刻を全部更新する全データ受信と、正分に秒表示を０にする秒修正等の一部のデータ受信とを両方行うよう構成した電波修正時計が開示されている。
【０００５】
【発明が解決しようとする課題】
前記の第１の例では、時刻修正によってアラーム音が鳴らなくなることは防止できても、誤ったデータを受信した場合に予期せぬ時刻にアラームが鳴るのを防止することはできない。また前記の第２の例では、使用者の操作によって計測を開始するものであるが、アラーム時計では自動時刻修正が殆どで、毎回時刻修正した場合には、受信・修正のための所定時間が必要で、電力の消費も大きいものとなる。更に、前記の第３の例では、全データ受信と一部のデータ受信とで受信頻度を変えているので、受信間隔を計数するための期間カウンタが必要になる。
【０００６】
そこで本発明では、電波修正時計としての精度を維持し、アラーム時計としての使用時には、電波受信の誤動作に対する不安をなくして内部電子時計としての精度を保ってアラーム動作を行い、同時に省電力を達成する。
【０００７】
【課題を解決するための手段】
本発明の電波修正機能付きアラーム時計は、標準時刻電波を受信可能な受信回路と、アラームのオンオフを設定するアラームセットスイッチと、内部電子時計を有し、当該内部電子時計の時刻を表示する時刻表示部と、これらを制御する制御回路とが備わっており、前記制御回路は、前記標準時刻電波の受信により前記内部電子時計の時刻を修正するように制御可能であるとともに、前記制御回路は、前記内部電子時計の時刻が前記標準時刻電波の受信時刻になり、前記受信回路により前記標準時刻電波を受信した後で、前記アラームセットスイッチがオン状態の場合には、前記受信した時刻と前記内部電子時計の時刻とを比較し、その差が所定値以上の場合には前記内部電子時計の時刻修正を行わないように制御することを特徴としている。
【０００８】
また、本発明の電波修正機能付きアラーム時計は、標準時刻電波を受信可能な受信回路と、アラームのオンオフを設定するアラームセットスイッチと、内部電子時計を有し、当該内部電子時計の時刻を表示する時刻表示部と、これらを制御する制御回路とが備わっており、前記制御回路は、前記標準時刻電波の受信により前記内部電子時計の時刻を修正するように制御可能であるとともに、前記制御回路は、前記内部電子時計の時刻が前記標準時刻電波の受信時刻になったときに、前記アラームセットスイッチがオン状態の場合には、前記受信回路により前記標準時刻電波の０秒のみを検出して受信し、前記内部電子時計の時刻を修正するように制御することを特徴としている。
【０００９】
また、本発明の電波修正機能付きアラーム時計は、標準時刻電波を受信可能な受信回路と、アラームのオンオフを設定するアラームセットスイッチと、内部電子時計を有し、当該内部電子時計の時刻を表示する時刻表示部と、これらを制御する制御回路とが備わっており、前記制御回路は、前記標準時刻電波の受信により前記内部電子時計の時刻を修正するように制御可能であるとともに、前記制御回路は、前記内部電子時計の時刻が前記標準時刻電波の受信時刻になり、前記受信回路により前記標準時刻電波を受信した後で、前記アラームセットスイッチがオン状態の場合には、前記受信した時刻と前記内部電子時計の時刻とを比較し、その差が第１の所定値以下の場合、または、サマータイムへの移行により想定される変化時間を含めた差が第２の所定値以下の場合、前記内部電子時計の時刻修正を行うように制御することを特徴としている。
【００１２】
このように構成することで、電波修正時計としての精度を維持することができ、アラーム時計としての使用時には、電波受信の誤動作に対する不安がなくなり内部電子時計としての精度を保って正しいアラーム動作を行うことができる。また、受信回路の動作時間を短縮できるので省電力を達成できる。
【００１３】
【発明の実施の形態】
本発明の実施の一形態について、図面に基づいて説明する。
【００１４】
図１にブロック図で示すように、本発明の電波修正機能付きアラーム時計は、不図示の発信局から電波送信される標準時刻電波を、所定の受信時刻に不図示の受信用アンテナを介して受信回路２で受信する。制御回路１は受信回路２、報音装置３及び時刻表示部４の動作を制御する。アラームセットスイッチ５は制御回路１であるＩＣのアラーム出力端子に外付けされて、アラームのオンオフを設定する。
【００１５】
制御回路１には不図示の内部電子時計が設けられ、この内部電子時計は水晶等の発信回路の信号を基に常に歩進している。この水晶発信回路は、一般的に月差±２０秒程度を実現しており、仮に週に１回の時刻修正でもその修正量は、数秒程度のものである。標準時刻電波による時刻の修正は、通常２４時間毎に行っており、内部電子時計で午前・午後の判別を行って、例えば、午前２時に行うようにしている。また、午前２時に標準時刻電波の受信が正しく行えなかった場合には、午前４時、午後２時、または午後４時に行うようにしている。
【００１６】
受信回路２は標準時刻電波を受信して電気信号に変え、報音装置３はアラーム時刻をベル音や電子音やメロディ等の音で知らせる。時刻表示部４は内部電子時計を表示するようになっている。時刻表示部４としては、液晶を用いたデジタル表示器であっても、針を運針させるアナログ表示器であってもよい。アラーム時刻は不図示のアラーム時刻セット手段によって設定される。アラームセットスイッチ５をオン状態のときに、設定されたアラーム時刻と内部電子時計の時刻が一致した際に報時装置３から音を発する。
【００１７】
図２により、本発明の電波修正機能付きアラーム時計の動作の一例について説明する。内部電子時計の時刻が、所定の自動受信時刻になったかどうかを判断し（Ｓ１）、当該時刻になった場合には、アラームセットスイッチ５がオン状態かオフ状態かを判断し（Ｓ２）、オフ状態、即ちアラームセットがされていなければ、受信回路２を動作状態にし、標準時刻電波を受信し、これにより受信した時刻データに基づいて内部電子時計の時刻を修正する（Ｓ３）。アラームセットスイッチ５がオン状態、即ちアラームセット中であれば、受信回路２を不動作状態として標準時刻電波の自動受信を開始せず、そのまま内部電子時計の歩進を続ける。
【００１８】
このように動作させれば、翌朝のアラーム時刻をセットして、アラームセットスイッチ５をオン状態にしておけば、自動で時刻修正を行わないので、アラーム時刻をセットした時点での内部電子時計の時刻の正確さで、アラーム音が発生するので、安心して使用することができる。
【００１９】
図３により他の動作例について説明する。先ず、内部電子時計の時刻が、所定の自動受信時刻になったかどうかを判断し（Ｓ１１）、当該時刻になった場合には、受信回路２を動作状態にし、標準時刻電波を受信し（Ｓ１２）、アラームセットスイッチ５がオン状態かオフ状態かを判断し（Ｓ１３）、オフ状態であれば、受信した時刻データに基づいて内部電子時計の時刻を修正する（Ｓ１４）。他方、オン状態であれば、この受信した時刻データと内部電子時計の時刻とを比較し、その差が、所定値以下かを判断する（Ｓ１５）。所定値は実用上時刻がずれていても問題のない範囲の値であり、例えば１分とか、５分とかである。そして、受信した時刻データと内部電子時計の時刻との差が所定値以下である場合には、受信した時刻データに基づいて内部電子時計の時刻を修正する（Ｓ１４）。他方、その差が所定値以上である場合には、内部電子時計の時刻の修正を行わずそのまま内部電子時計は歩進を続ける。
【００２０】
このように動作させれば、標準時刻電波を受信した場合に、アラームセットスイッチ５がオン状態であるときに内部電子時計の時刻と受信した時刻データとの差が所定値以下の場合に内部電子時計の時刻修正を行うので、仮に標準時刻電波を誤受信した場合であっても、修正されるのは所定値以下であるので実用上問題のない範囲でアラーム音が発生する。また誤受信でなく、その差が所定値以下であれば、内部電子時計の時刻が正しく修正されるので、正確な時刻にアラーム音を発生させることが可能である。その差が所定値以上である場合には内部電子時計の時刻修正を行わないので、アラーム時刻をセットした時点での内部電子時計の時刻の正確さで、アラーム音が発生することになる。
【００２１】
前記の図３に基づいて動作させる場合、現今各地で実行されているサマータイムの移行に際して不都合が生じることがある。即ち、サマータイムは概ね４月から１０月の間、時刻を１時間早める方式である。例えば、イギリスでは３月最終日曜日ＡＭ１時に１時間早め、１０月最終日曜日ＡＭ１時に１時間遅らせる。またアメリカでは４月第１日曜日ＡＭ２時に１時間早め、１０月最終日曜日ＡＭ２時に１時間遅らせる等である。この間は標準時刻電波の時刻データも変わり、送信される信号には識別フラッグが立つ。いずれもサマータイムの識別ビットと変更予定を表わす予告ビットからなる。日本の標準時刻電波についても拡張ビットが２つ用意され、欧米と同様な方法になると思われる。
【００２２】
電波修正クロックの場合、通常時刻からサマータイムへの変更後及びサマータイムから通常時刻への変更後、始めの修正時に正しく修正される。しかしサマータイムと通常時刻との移行日に、サマータイムのために早めまたは遅らせた時間を考慮に入れないで図３のフローチヤートに基づいて動作させると、アラームセット中であって内部電子時計の時刻と受信した時刻データとの差が所定値以下となる場合を、所定値よりも大きいと誤って判断し、電波修正クロックの内部電子時計の時刻が、早めまたは遅らせた時間だけずれてしまうという不具合が起こってしまう。
【００２３】
図７は、このような場合に用いられるフローチャートを示すもので、以下にその動作例について説明する。先ず、内部電子時計の時刻が、所定の自動受信時刻になったかどうかを判断し（Ｓ３１）、当該時刻になった場合には、受信回路２を動作状態にし、標準時刻電波を受信し（Ｓ３２）、アラームセットスイッチ５がオン状態かオフ状態かを判断し（Ｓ３３）、オフ状態であれば、受信した時刻データに基づいて内部電子時計の時刻を修正する（Ｓ３４）。他方、オン状態であれば、この受信した時刻データと内部電子時計の時刻とを比較し、その差が、通常±１時間であるサマータイムの移行による変化時間を含めて、所定値以下かを判断する（Ｓ３５）。具体的には、この所定値を１分とした場合、その差が、±１分、或いは−５９〜−６１分、或いは＋５９〜＋６１分のいずれかであるかを判断する。そして、これらのいずれかの所定値以下である場合には、受信した時刻データに基づいて内部電子時計の時刻を修正する（Ｓ３４）。他方、その差が所定値以上である場合には、内部電子時計の時刻の修正を行わずそのまま内部電子時計は歩進を続ける。
【００２４】
このように動作させれば、標準時刻電波を受信した場合に、アラームセットスイッチ５がオン状態であるときに内部電子時計の時刻と受信した時刻データとの差が、サマータイムの移行による変化時間を含めて、所定値以下の場合に内部電子時計の時刻修正を行うので、サマータイムの移行日に、それを誤受信だと判断することなく、内部電子時計の時刻が正しく修正される。他方、それ以外の誤受信に対しては、内部電子時計の時刻を修正しないので、アラーム時刻をセットした時点での内部電子時計の時刻の正確さで、アラーム音が発生することになる。
【００２５】
図４により更に他の動作例について説明する。図２の場合と同様に、内部電子時計の時刻が、所定の自動受信時刻になったかどうかを判断し（Ｓ２１）、当該時刻になった場合には、アラームセットスイッチ５がオン状態かオフ状態かを判断し（Ｓ２２）、オフ状態であれば、受信回路２を動作状態にし、標準時刻電波を受信し（Ｓ２３）、これにより受信した時刻データに基づいて内部電子時計の時刻を修正する（Ｓ２４）。他方、オン状態であれば、先と同様に受信回路２を動作状態とし、標準時刻電波の受信を開始するが、０秒を検出した時点で受信を停止し（Ｓ２５）、内部電子時計の秒のみの時刻を修正する（Ｓ２６）。例えば、内部電子時計の秒が３０秒以下（２０秒以下等の適宜の秒に設定しておいてもよい）であれば０秒に修正するというように、秒のみの時刻を修正するものである。
【００２６】
この動作についてさらに詳細に説明すると、標準時刻電波は、１秒を１ビットとし、６０秒で時刻データを送信しているので、通常、この時刻データを取り込むためには、今、何秒目であるかを知る必要があり、先ず受信開始時に０秒を検出する必要がある。そこで前記のように０秒を検出した時点で標準時刻電波の受信を終了すれば、受信回路２の動作時間が短縮して、消費電流が低減する。また、通常の水晶発信回路を用いて内部電子時計が歩進されていれば、前記のように月差±２０秒程度であるので、仮に週に１回程度の受信及び修正であっても、その修正量は数秒程度であるので、前記のように３０秒以下（２０秒以下であっても可）の範囲の誤差を０秒に修正することとしておけば、実用上の問題はなく、安心してアラーム時計を使用することができる。
【００２７】
図５は本発明の実施の他の形態を示すブロック図であり、電気回路によって図２の動作と同様にアラームセットスイッチ５がオン状態のときには受信回路２が動作しないように構成した例である。即ち、受信回路２をオンオフするスイッチ６を設け、このスイッチ６とアラームセットスイッチ５とを連動させるように構成したものである。なお、スイッチ６と後述するスイッチ７とはプッシュ式としたが、これに限定されるものでなく、レバー式、スライド式、ロータリー式等、同様の機能をもつものであればよい。
【００２８】
図５に示すように、アラームセットスイッチ５がオフ状態であるときは、受信回路用スイッチ６がオンであり、内部電子時計の時刻が所定の自動受信時刻になった場合に、オン状態の受信回路２が動作して標準時刻電波を受信し、受信した時刻データに基づいて内部電子時計の時刻を修正する。この逆に、アラームセットスイッチ５がオン状態であるときは、受信回路用スイッチ６がオフであり、内部電子時計の時刻が所定の自動受信時刻になっても、オフ状態の受信回路２は動作せず、内部電子時計の時刻は修正されずそのまま歩進を続ける。この構成にすることによって、複雑なソフトウエアを必要とせず、スイッチの操作だけで図２の動作を実現できる。
【００２９】
図６は本発明の実施の更に他の形態を示すブロック図であり、電気回路２から制御回路１への信号線上にアラームセットスイッチ５と連動するスイッチ７を設け、電気回路によりアラームセットスイッチ５がオン状態のときには受信回路２による受信信号が制御回路１に伝えられないように構成した例である。そして、アラームセットスイッチ５がオン状態のときには、スイッチ７はオフとなり、受信回路２で受信した時刻データは制御回路１へ供給されず、内部電子時計の時刻は修正されずそのまま歩進を続ける。反対に、アラームセットスイッチ５が図６に示されるようにオフ状態のときには、スイッチ７がオンとなり、受信回路２で受信した時刻データが制御回路１に供給され、内部電子時計の時刻が所定の自動受信時刻になった場合に受信した時刻データに基づいて内部電子時計の時刻を修正する。この構成にすることによって、複雑なソフトウエアを必要とせず、スイッチの操作だけで図２の動作を実現できる。
【００３０】
【発明の効果】
以上に説明したように、本発明では、内部電子時計の時刻が標準時刻電波の受信時刻になったときに、アラームセットスイッチの状態により、受信回路による標準時刻電波の受信動作及び内部電子時計の時刻修正動作を変化させるように制御可能であるので、電波修正時計としての精度を維持でき、アラーム時計としての使用時に、電波受信の誤動作に対する不安をなくして内部電子時計としての精度を保ってアラーム動作を行うことができる。同時に省電力を達成することができる。
【図面の簡単な説明】
【図１】本発明の実施の一形態を示すブロック図である。
【図２】図１の動作を説明するフローチャートである。
【図３】図１の他の動作を説明するフローチャートである。
【図４】図１の更に他の動作を説明するフローチャートである。
【図５】本発明の実施の他の形態を示すブロック図である。
【図６】本発明の実施の更に他の形態を示すブロック図である。
【図７】図１の更に他の動作を説明するフローチャートである。
【符号の説明】
１    制御回路
２    受信回路
４    時刻表示部
５    アラームセットスイッチ
【図１】
0003837093.tif 000002
【図２】
0003837093.tif 000003
【図３】
0003837093.tif 000004
【図４】
0003837093.tif 000005
【図５】
0003837093.tif 000006
【図６】
0003837093.tif 000007
【図７】
0003837093.tif 000008